(57)【要約】      （修正有）【課題】操作性に優れ、電気掃除機に接続された吸引ホースを起立させた状態で収納し、該吸引ホースの転倒を効果的に防止できる居室収納構造を提供する。【解決手段】居室内に設置される収納構造１であって、電気掃除機２に接続された吸引ホース２ｂを起立させた状態で収納可能な縦収納スペース４を有し、該縦収納スペース４の扉５近傍で該縦収納スペース４の内面に吸引ホース２ｂの転倒を防止する転倒防止用バー６を回動可能に設けて構成する。【選択図】図１
0003160538.tif 000002
【実用新案登録請求の範囲】
【請求項１】
居室内に設置される収納構造であって、
電気掃除機に接続された吸引ホースを起立させた状態で収納可能な縦収納スペースを有し、
前記縦収納スペースの扉近傍で該縦収納スペースの内面に前記吸引ホースの転倒を防止する転倒防止用バーが回動可能に設けられたことを特徴とする居室収納構造。
【請求項２】
前記転倒防止用バーの外周に可撓性の拘束部材の端部に設けられたリング部及びキャップ部が着脱可能に嵌合されたことを特徴とする請求項１に記載の居室収納構造。
【請求項３】
前記縦収納スペースの奥側に前記起立させた状態の吸引ホースに干渉しない棚を設けたことを特徴とする請求項１または請求項２に記載の居室収納構造。
【請求項４】
前記縦収納スペースの内面または前記縦収納スペースの扉の内面に、物品を着脱自在に係止し得るフックを設けたことを特徴とする請求項１〜３の何れか１項に記載の居室収納構造。
【考案の詳細な説明】
【技術分野】
【０００１】
本考案は、住宅の居室内に設置される収納構造に関するものである。
【背景技術】
【０００２】
従来、電気掃除機は掃除機本体と吸引ホースを分離して収納するのが一般であるが、そのため収納スペースが無駄に広がってしまう。電気掃除機は日常的に使用されるものであるから、収納時に吸引ホースを掃除機本体から取り外し、使用時に吸引ホースを掃除機本体に装着する作業が面倒であり、吸引ホースを掃除機本体に装着したままコンパクトに収納できる収納スペースが望まれていた。
【０００３】
例えば、実開昭５３−０３８５２４号公報（特許文献１）には、収納庫の本体内及び扉の裏に釣竿やゴルフクラブ等の長尺物を収納する長物スペースを設け、それらが倒れないようにするために鎖またはゴムひも等の一端を固定し、反対の一端を容易に脱着できるフェンスを取り付けたものが提案されている。また、特開平０９−２８９９２９号公報（特許文献２）には、収納家具の上段にゴルフクラブを立て掛けて収納できる縦型のディスプレー収納棚を設け、その下方にはゴルフバッグを収納できる収納棚を設けたものが提案されている。
【先行技術文献】
【特許文献】
【０００４】
【特許文献１】実開昭５３−０３８５２４号公報
【特許文献２】特開平０９−２８９９２９号公報
【考案の概要】
【考案が解決しようとする課題】
【０００５】
しかしながら、前述の特許文献１の技術では、鎖やゴムひもの開放端部を所定の係止部に引っ掛けなければならず操作性に煩わしさがあった。また、特許文献２では自立するゴルフバッグは転倒しないにしても、ゴルフクラブはゴルフクラブ収納棚に差し入れて起立させる構成であるため収納作業が煩わしいといった問題があった。
【０００６】
本考案は前記課題を解決するものであり、その目的とするところは、操作性に優れ、電気掃除機に接続された吸引ホースを起立させた状態で収納し、該吸引ホースの転倒を効果的に防止できる居室収納構造を提供せんとするものである。
【課題を解決するための手段】
【０００７】
前記目的を達成するための本考案に係る居室収納構造の第１の構成は、居室内に設置される収納構造であって、電気掃除機に接続された吸引ホースを起立させた状態で収納可能な縦収納スペースを有し、前記縦収納スペースの扉近傍で該縦収納スペースの内面に前記吸引ホースの転倒を防止する転倒防止用バーが回動可能に設けられたことを特徴とする。
【０００８】
また、本考案に係る居室収納構造の第２の構成は、前記第１の構成において、前記転倒防止用バーの外周に可撓性の拘束部材の端部に設けられたリング部及びキャップ部が着脱可能に嵌合されたことを特徴とする。
【０００９】
また、本考案に係る居室収納構造の第３の構成は、前記第１、第２の構成において、前記縦収納スペースの奥側に前記起立させた状態の吸引ホースに干渉しない棚を設けたことを特徴とする。
【００１０】
また、本考案に係る居室収納構造の第４の構成は、前記第１〜第３の構成において、前記縦収納スペースの内面または前記縦収納スペースの扉の内面に、物品を着脱自在に係止し得るフックを設けたことを特徴とする。
【考案の効果】
【００１１】
本考案に係る居室収納構造の第１の構成によれば、縦収納スペース内に電気掃除機に接続された吸引ホースを起立させた状態で収納し、転倒防止用バーを水平状態に回動させて吸引ホースの転倒を防止することが出来る。電気掃除機を使用する場合には、転倒防止用バーを垂直状態に回動させて退避させ吸引ホースが接続されたままの電気掃除機を取り出すことが出来る。
【００１２】
また、本考案に係る居室収納構造の第２の構成によれば、転倒防止用バーを水平状態に倒した状態で、該転倒防止用バーの開放側端部から拘束部材のキャップ部を取り外し、起立させた状態の吸引ホースを該拘束部材と転倒防止用バーとにより形成されたＤ字形状のスペース内部に収容し、拘束部材のキャップ部を転倒防止用バーの開放側端部に装着して固定することが出来る。これにより、起立させた状態の吸引ホースを該拘束部材と転倒防止用バーとにより形成されたＤ字形状のスペース内部に拘束し、縦収納スペースの左右内面の離間間隔が比較的広い場合であっても不安定に起立した吸引ホースをより整然とした状態で収納することが出来る。
【００１３】
また、本考案に係る居室収納構造の第３の構成によれば、縦収納スペースの奥側に起立させた状態の吸引ホースに干渉しない棚を設けたことで、吸引ホースの奥側スペースを有効利用することが出来る。
【００１４】
また、本考案に係る居室収納構造の第４の構成によれば、縦収納スペースの内面または縦収納スペースの扉の内面に、物品を着脱自在に係止し得るフックを設けたことで、掃除機のノズル、手ほうき、モップ等の小物をフックに着脱自在に係止することが出来る。
【図面の簡単な説明】
【００１５】
【図１】（ａ）は本考案に係る居室収納構造の構成を示す正面図、（ｂ）は扉を閉めた状態の構成を示す正面図である。
【図２】（ａ）は本考案に係る居室収納構造の構成を示す平面説明図、（ｂ）は本考案に係る居室収納構造の構成を示す側断面説明図である。
【図３】（ａ）は吸引ホースの転倒を防止する転倒防止用バーの構成を示す斜視説明図、（ｂ）は吸引ホースの転倒を防止する転倒防止用バーの他の構成を示す斜視説明図である。
【考案を実施するための形態】
【００１６】
図により本考案に係る居室収納構造の一実施形態を具体的に説明する。図１〜図３において、１は居室内に設置される収納構造であって、電気掃除機２の掃除機本体２ａに接続された蛇腹状の吸引ホース２ｂを起立させた状態で収納可能な高さ１４０ｃｍ程度の縦収納スペース４を有し、掃除機のノズル部２ｃがそのまま収納でき、該縦収納スペース４の扉５の近傍で該縦収納スペース４の内面４ａに固定されたバー支持部材７により吸引ホース２ｂの転倒を防止する転倒防止用バー６が回動可能に設けられている。
【００１７】
本実施形態のバー支持部材７は、図３（ａ）に示すように、円柱状または円筒状の転倒防止用バー６の回動中心側端部に設けられた回動軸８を中心に転倒防止用バー６を水平状態から垂直状態に略９０度の角度範囲で回動可能に設けられており、図３（ａ）の破線で示す垂直状態に転倒防止用バー６を起立させたとき、板バネ材からなるバー支持部材７の一対の起立片７ａに挟持されて支持される。
【００１８】
また、図３（ａ）の実線で示す水平状態に転倒防止用バー６を倒したとき、バー支持部材７の受け片７ｂにより下面が支持される。転倒防止用バー６の長さは縦収納スペース４の左右内面４ａの離間間隔に対応した長さで構成されている。図３(ａ)の転倒防止用バー６は吸引ホース２ｂが縦収納スペース４の左右内面４ａ内にあればどの位置であっても吸引ホース２ｂの前面を支持して転倒を防止することが出来る。
【００１９】
図３(ｂ）はバー支持部材７の他の構成を示したものであり、円柱状または円筒状の転倒防止用バー６の外周に合成樹脂等により構成されたＣ字形状で可撓性の拘束部材９の端部に設けられたリング部９ａ及びキャップ部９ｂが着脱可能に嵌合されている。拘束部材９の一端部に設けられたリング部９ａは転倒防止用バー６の外周に摺動自在に嵌装されており、拘束部材９の他端部に設けられたキャップ部９ｂは転倒防止用バー６の開放側端部に嵌装して着脱自在に固定される。
【００２０】
図３(ｂ)の転倒防止用バー６は該転倒防止用バー６を水平状態に倒した状態で、転倒防止用バー６の開放側端部から拘束部材９のキャップ部９ｂを取り外し、起立させた状態の吸引ホース２ｂを該拘束部材９と転倒防止用バー６とにより形成されたＤ字形状のスペース内部に収容し、拘束部材９のキャップ部９ｂを転倒防止用バー６の開放側端部に装着して固定することが出来る。これにより、起立させた状態の吸引ホース２ｂを該拘束部材９と転倒防止用バー６とにより形成されたＤ字形状のスペース内部に拘束し、縦収納スペース４の左右内面４ａの離間間隔が比較的広い場合であっても不安定に起立した吸引ホース２ｂをより整然とした状態で収納することが出来る。
【００２１】
また、縦収納スペース４の奥側には、図１（ａ）、図２（ｂ）に示すように、起立させた状態の吸引ホース２ｂに干渉しない奥行きの短い棚10ａが設けられている。図中、10は収納の奥行きに対応する通常の棚である。
【００２２】
また、縦収納スペース４の内面４ａまたは該縦収納スペース４の扉５の内面には、図１（ａ）に示すように、物品を着脱自在に係止し得るフック11が設けられている。
【００２３】
上記構成によれば、縦収納スペース４内に電気掃除機２の掃除機本体２ａに接続された吸引ホース２ｂを起立させた状態で収納し、転倒防止用バー６を水平状態に回動させて吸引ホース２ｂの転倒を防止することが出来る。電気掃除機２を使用する場合には、転倒防止用バー６を垂直状態に回動させて退避させ吸引ホース２ｂが接続されたままの電気掃除機２を取り出すことが出来る。
【００２４】
また、縦収納スペース４の奥側に起立させた状態の吸引ホース２ｂに干渉しない奥行きの短い棚10ａを設けたことで、吸引ホース２ｂの奥側スペースを有効利用することが出来、使い易さと収納量を両立させ、電気掃除機２を使う時の組立作業を省いたすぐ使える収納を実現できる。
【００２５】
また、縦収納スペース４の内面４ａまたは該縦収納スペース４の扉５の内面に、物品を着脱自在に係止し得るフック11を設けたことで、電気掃除機２の特殊用途ノズル、手ほうき、モップ等の小物をフック11に着脱自在に係止することが出来る。
【産業上の利用可能性】
【００２６】
本考案の活用例として、住宅の居室内に設置される収納構造に適用出来、建物とは別個に商品化される収納箱の構造としても適用可能である。
【符号の説明】
【００２７】
１    …収納構造
２    …電気掃除機
２ａ  …掃除機本体
２ｂ  …吸引ホース
２ｃ  …ノズル部
４    …縦収納スペース
４ａ  …内面
５    …扉
６    …転倒防止用バー
７    …バー支持部材
７ａ  …起立片
７ｂ  …受け片
８    …回動軸
９    …拘束部材
９ａ  …リング部
９ｂ  …キャップ部
10    …棚
10ａ  …奥行きの短い棚
11    …フック
【図１】
0003160538.tif 000003
【図２】
0003160538.tif 000004
【図３】
0003160538.tif 000005
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
居室内に設置される収納構造であって、
電気掃除機に接続された吸引ホースを起立させた状態で収納可能な縦収納スペースを有し、
前記縦収納スペースの扉近傍で該縦収納スペースの内面に固定されたバー支持部材と、
前記バー支持部材により一端部に設けられた回動軸を中心に回動可能に設けられると共に、前記吸引ホースの転倒を防止する転倒防止用バーと、
を有することを特徴とする居室収納構造。
【請求項２】
一端部に前記転倒防止用バーの外周に摺動自在に嵌装されるリング部が設けられ、他端部に前記転倒防止用バーの開放側端部に嵌装して着脱自在に固定されるキャップ部が設けられた可撓性の拘束部材を有し、
前記転倒防止用バーを水平状態に倒し、前記転倒防止用バーの外周に前記拘束部材のリング部を嵌装した状態で該転倒防止用バーの開放側端部から該拘束部材のキャップ部を取り外し、起立させた状態の前記吸引ホースを該拘束部材と前記転倒防止用バーとにより形成されたＤ字形状のスペース内部に収容し、該拘束部材のキャップ部を前記転倒防止用バーの開放側端部に装着して固定することを特徴とする請求項１に記載の居室収納構造。
【請求項３】
前記縦収納スペースの奥側に前記起立させた状態の吸引ホースに干渉しない棚を設けたことを特徴とする請求項１または請求項２に記載の居室収納構造。
【請求項４】
前記縦収納スペースの内面または前記縦収納スペースの扉の内面に、物品を着脱自在に係止し得るフックを設けたことを特徴とする請求項１〜３の何れか１項に記載の居室収納構造。
【手続補正２】
【補正対象書類名】明細書
【補正対象項目名】全文
【補正方法】変更
【補正の内容】
【考案の詳細な説明】
【技術分野】
【０００１】
本考案は、住宅の居室内に設置される収納構造に関するものである。
【背景技術】
【０００２】
従来、電気掃除機は掃除機本体と吸引ホースを分離して収納するのが一般であるが、そのため収納スペースが無駄に広がってしまう。電気掃除機は日常的に使用されるものであるから、収納時に吸引ホースを掃除機本体から取り外し、使用時に吸引ホースを掃除機本体に装着する作業が面倒であり、吸引ホースを掃除機本体に装着したままコンパクトに収納できる収納スペースが望まれていた。
【０００３】
例えば、実開昭５３−０３８５２４号公報（特許文献１）には、収納庫の本体内及び扉の裏に釣竿やゴルフクラブ等の長尺物を収納する長物スペースを設け、それらが倒れないようにするために鎖またはゴムひも等の一端を固定し、反対の一端を容易に脱着できるフェンスを取り付けたものが提案されている。また、特開平０９−２８９９２９号公報（特許文献２）には、収納家具の上段にゴルフクラブを立て掛けて収納できる縦型のディスプレー収納棚を設け、その下方にはゴルフバッグを収納できる収納棚を設けたものが提案されている。
【先行技術文献】
【特許文献】
【０００４】
【特許文献１】実開昭５３−０３８５２４号公報
【特許文献２】特開平０９−２８９９２９号公報
【考案の概要】
【考案が解決しようとする課題】
【０００５】
しかしながら、前述の特許文献１の技術では、鎖やゴムひもの開放端部を所定の係止部に引っ掛けなければならず操作性に煩わしさがあった。また、特許文献２では自立するゴルフバッグは転倒しないにしても、ゴルフクラブはゴルフクラブ収納棚に差し入れて起立させる構成であるため収納作業が煩わしいといった問題があった。
【０００６】
本考案は前記課題を解決するものであり、その目的とするところは、操作性に優れ、電気掃除機に接続された吸引ホースを起立させた状態で収納し、該吸引ホースの転倒を効果的に防止できる居室収納構造を提供せんとするものである。
【課題を解決するための手段】
【０００７】
前記目的を達成するための本考案に係る居室収納構造の第１の構成は、居室内に設置される収納構造であって、電気掃除機に接続された吸引ホースを起立させた状態で収納可能な縦収納スペースを有し、前記縦収納スペースの扉近傍で該縦収納スペースの内面に固定されたバー支持部材と、前記バー支持部材により一端部に設けられた回動軸を中心に回動可能に設けられると共に、前記吸引ホースの転倒を防止する転倒防止用バーとを有することを特徴とする。
【０００８】
また、本考案に係る居室収納構造の第２の構成は、前記第１の構成において、一端部に前記転倒防止用バーの外周に摺動自在に嵌装されるリング部が設けられ、他端部に前記転倒防止用バーの開放側端部に嵌装して着脱自在に固定されるキャップ部が設けられた可撓性の拘束部材を有し、前記転倒防止用バーを水平状態に倒し、前記転倒防止用バーの外周に前記拘束部材のリング部を嵌装した状態で該転倒防止用バーの開放側端部から該拘束部材のキャップ部を取り外し、起立させた状態の前記吸引ホースを該拘束部材と前記転倒防止用バーとにより形成されたＤ字形状のスペース内部に収容し、該拘束部材のキャップ部を前記転倒防止用バーの開放側端部に装着して固定することを特徴とする。
【０００９】
また、本考案に係る居室収納構造の第３の構成は、前記第１、第２の構成において、前記縦収納スペースの奥側に前記起立させた状態の吸引ホースに干渉しない棚を設けたことを特徴とする。
【００１０】
また、本考案に係る居室収納構造の第４の構成は、前記第１〜第３の構成において、前記縦収納スペースの内面または前記縦収納スペースの扉の内面に、物品を着脱自在に係止し得るフックを設けたことを特徴とする。
【考案の効果】
【００１１】
本考案に係る居室収納構造の第１の構成によれば、縦収納スペース内に電気掃除機に接続された吸引ホースを起立させた状態で収納し、転倒防止用バーを水平状態に回動させて吸引ホースの転倒を防止することが出来る。電気掃除機を使用する場合には、転倒防止用バーを垂直状態に回動させて退避させ吸引ホースが接続されたままの電気掃除機を取り出すことが出来る。
【００１２】
また、本考案に係る居室収納構造の第２の構成によれば、転倒防止用バーを水平状態に倒した状態で、該転倒防止用バーの開放側端部から拘束部材のキャップ部を取り外し、起立させた状態の吸引ホースを該拘束部材と転倒防止用バーとにより形成されたＤ字形状のスペース内部に収容し、拘束部材のキャップ部を転倒防止用バーの開放側端部に装着して固定することが出来る。これにより、起立させた状態の吸引ホースを該拘束部材と転倒防止用バーとにより形成されたＤ字形状のスペース内部に拘束し、縦収納スペースの左右内面の離間間隔が比較的広い場合であっても不安定に起立した吸引ホースをより整然とした状態で収納することが出来る。
【００１３】
また、本考案に係る居室収納構造の第３の構成によれば、縦収納スペースの奥側に起立させた状態の吸引ホースに干渉しない棚を設けたことで、吸引ホースの奥側スペースを有効利用することが出来る。
【００１４】
また、本考案に係る居室収納構造の第４の構成によれば、縦収納スペースの内面または縦収納スペースの扉の内面に、物品を着脱自在に係止し得るフックを設けたことで、掃除機のノズル、手ほうき、モップ等の小物をフックに着脱自在に係止することが出来る。
【図面の簡単な説明】
【００１５】
【図１】（ａ）は本考案に係る居室収納構造の構成を示す正面図、（ｂ）は扉を閉めた状態の構成を示す正面図である。
【図２】（ａ）は本考案に係る居室収納構造の構成を示す平面説明図、（ｂ）は本考案に係る居室収納構造の構成を示す側断面説明図である。
【図３】（ａ）は吸引ホースの転倒を防止する転倒防止用バーの構成を示す斜視説明図、（ｂ）は吸引ホースの転倒を防止する転倒防止用バーの他の構成を示す斜視説明図である。
【考案を実施するための形態】
【００１６】
図により本考案に係る居室収納構造の一実施形態を具体的に説明する。図１〜図３において、１は居室内に設置される収納構造であって、電気掃除機２の掃除機本体２ａに接続された蛇腹状の吸引ホース２ｂを起立させた状態で収納可能な高さ１４０ｃｍ程度の縦収納スペース４を有し、掃除機のノズル部２ｃがそのまま収納でき、該縦収納スペース４の扉５の近傍で該縦収納スペース４の内面４ａに固定されたバー支持部材７により吸引ホース２ｂの転倒を防止する転倒防止用バー６が回動可能に設けられている。
【００１７】
本実施形態のバー支持部材７は、図３（ａ）に示すように、円柱状または円筒状の転倒防止用バー６の回動中心側端部に設けられた回動軸８を中心に転倒防止用バー６を水平状態から垂直状態に略９０度の角度範囲で回動可能に設けられており、図３（ａ）の破線で示す垂直状態に転倒防止用バー６を起立させたとき、板バネ材からなるバー支持部材７の一対の起立片７ａに挟持されて支持される。
【００１８】
また、図３（ａ）の実線で示す水平状態に転倒防止用バー６を倒したとき、バー支持部材７の受け片７ｂにより下面が支持される。転倒防止用バー６の長さは縦収納スペース４の左右内面４ａの離間間隔に対応した長さで構成されている。図３(ａ)の転倒防止用バー６は吸引ホース２ｂが縦収納スペース４の左右内面４ａ内にあればどの位置であっても吸引ホース２ｂの前面を支持して転倒を防止することが出来る。
【００１９】
図３(ｂ）はバー支持部材７の他の構成を示したものであり、円柱状または円筒状の転倒防止用バー６の外周に合成樹脂等により構成されたＣ字形状で可撓性の拘束部材９の端部に設けられたリング部９ａ及びキャップ部９ｂが着脱可能に嵌合されている。拘束部材９の一端部に設けられたリング部９ａは転倒防止用バー６の外周に摺動自在に嵌装されており、拘束部材９の他端部に設けられたキャップ部９ｂは転倒防止用バー６の開放側端部に嵌装して着脱自在に固定される。
【００２０】
図３(ｂ)の転倒防止用バー６は該転倒防止用バー６を水平状態に倒した状態で、転倒防止用バー６の開放側端部から拘束部材９のキャップ部９ｂを取り外し、起立させた状態の吸引ホース２ｂを該拘束部材９と転倒防止用バー６とにより形成されたＤ字形状のスペース内部に収容し、拘束部材９のキャップ部９ｂを転倒防止用バー６の開放側端部に装着して固定することが出来る。これにより、起立させた状態の吸引ホース２ｂを該拘束部材９と転倒防止用バー６とにより形成されたＤ字形状のスペース内部に拘束し、縦収納スペース４の左右内面４ａの離間間隔が比較的広い場合であっても不安定に起立した吸引ホース２ｂをより整然とした状態で収納することが出来る。
【００２１】
また、縦収納スペース４の奥側には、図１（ａ）、図２（ｂ）に示すように、起立させた状態の吸引ホース２ｂに干渉しない奥行きの短い棚10ａが設けられている。図中、10は収納の奥行きに対応する通常の棚である。
【００２２】
また、縦収納スペース４の内面４ａまたは該縦収納スペース４の扉５の内面には、図１（ａ）に示すように、物品を着脱自在に係止し得るフック11が設けられている。
【００２３】
上記構成によれば、縦収納スペース４内に電気掃除機２の掃除機本体２ａに接続された吸引ホース２ｂを起立させた状態で収納し、転倒防止用バー６を水平状態に回動させて吸引ホース２ｂの転倒を防止することが出来る。電気掃除機２を使用する場合には、転倒防止用バー６を垂直状態に回動させて退避させ吸引ホース２ｂが接続されたままの電気掃除機２を取り出すことが出来る。
【００２４】
また、縦収納スペース４の奥側に起立させた状態の吸引ホース２ｂに干渉しない奥行きの短い棚10ａを設けたことで、吸引ホース２ｂの奥側スペースを有効利用することが出来、使い易さと収納量を両立させ、電気掃除機２を使う時の組立作業を省いたすぐ使える収納を実現できる。
【００２５】
また、縦収納スペース４の内面４ａまたは該縦収納スペース４の扉５の内面に、物品を着脱自在に係止し得るフック11を設けたことで、電気掃除機２の特殊用途ノズル、手ほうき、モップ等の小物をフック11に着脱自在に係止することが出来る。
【産業上の利用可能性】
【００２６】
本考案の活用例として、住宅の居室内に設置される収納構造に適用出来、建物とは別個に商品化される収納箱の構造としても適用可能である。
【符号の説明】
【００２７】
１    …収納構造
２    …電気掃除機
２ａ  …掃除機本体
２ｂ  …吸引ホース
２ｃ  …ノズル部
４    …縦収納スペース
４ａ  …内面
５    …扉
６    …転倒防止用バー
７    …バー支持部材
７ａ  …起立片
７ｂ  …受け片
８    …回動軸
９    …拘束部材
９ａ  …リング部
９ｂ  …キャップ部
10    …棚
10ａ  …奥行きの短い棚
11    …フック
【手続補正３】
【補正対象書類名】図面
【補正対象項目名】全図
【補正方法】変更
【補正の内容】
【図１】
0003160538.tif 000006
【図２】
0003160538.tif 000007
【図３】
0003160538.tif 000008